(57)【要約】【課題】  より高い精度で検査を行うことができる光検出装置、及び光検出装置を備える紙葉類処理装置を提供する。【解決手段】  一実施形態に係る光検出装置は、残光特性を持つ蛍光体が塗布される紙葉類から残光を検出する光検出装置であって、照明部と、受光部と、蛍光基準部材と、調整部と、検知部とを備える。照明部は、搬送される紙葉類に対して励起光を照射する。受光部は、入射する光の光強度を検出する。蛍光基準部材は、照明部と対向する位置に設けられ、励起光が入射する場合に蛍光を発する蛍光部材と、蛍光部材から発せられる蛍光が受光部に入射するように導光する導光体と、を備える。調整部は、蛍光部材から発せられて導光体を通り受光部に入射する蛍光から受光部により検出する光強度に基づいて、照明部の発光強度及び受光部の受光感度のうちの少なくとも１つを調整する。【選択図】      図４
2012093987.tif 000002
【特許請求の範囲】
【請求項１】
残光特性を持つ蛍光体が塗布される紙葉類から残光を検出する光検出装置であって、
搬送される前記紙葉類に対して励起光を照射する照明部と、
入射する光の光強度を検出する受光部と、
前記照明部と対向する位置に設けられ、励起光が入射する場合に蛍光を発する蛍光部材と、前記蛍光部材から発せられる蛍光が前記受光部に入射するように導光する導光体と、を備える蛍光基準部材と、
前記蛍光部材から発せられて前記導光体を通り前記受光部に入射する蛍光から前記受光部により検出する光強度に基づいて、前記照明部の発光強度及び前記受光部の受光感度のうちの少なくとも１つを調整する調整部と、
前記調整部により調整が行われた前記照明部及び前記受光部により、検知対象である前記紙葉類に対して、蛍光検知を行う検知部と、
を具備する光検出装置。
【請求項２】
前記蛍光基準部材は、前記照明部から照射される励起光の光強度を検出する光センサをさらに備え、
前記調整部は、前記光センサにより検出する光強度に基づいて前記照明部の発光強度を調整し、前記蛍光部材から発せられて前記導光体を通り前記受光部に入射する蛍光から前記受光部により検出する光強度に基づいて、前記受光部の受光感度を調整する、
請求項１に記載の光検出装置。
【請求項３】
前記光センサは、前記照明部から照射される励起光を感度帯域とするセンサを備える請求項２に記載の光検出装置。
【請求項４】
前記蛍光基準部材は、少なくとも前記蛍光部材から発せられる蛍光と同じ波長の光を含む基準光を発し、前記導光体を介して前記受光部に基準光を与える基準光源をさらに備え、
前記調整部は、前記基準光源から発せられて前記受光部に入射する基準光から前記受光部により検出する光強度に基づいて前記受光部の受光感度を調整し、前記蛍光部材から発せられて前記導光体を通り前記受光部に入射する蛍光から前記受光部により検出する光強度に基づいて前記照明部の発光強度を調整する、
請求項１に記載の光検出装置。
【請求項５】
前記調整部は、予め設定される基準レベルを保持し、前記受光部により検出する光強度が前記基準レベルと等しくなるように、前記照明部の発光強度及び前記受光部の受光感度のうちの少なくとも１つを調整する、
請求項１に記載の光検出装置。
【請求項６】
前記調整部は、予め設定される基準レベルを保持し、前記受光部または前記光センサにより検出する光強度が前記基準レベルと等しくなるように、前記照明部の発光強度及び前記受光部の受光感度のうちの少なくとも１つを調整する、
請求項３に記載の光検出装置。
【請求項７】
前記調整部は、前記照明部により励起光が照射される照射範囲及び受光部により光を検出する走査範囲に前記紙葉類が存在しない場合、前記照明部の発光強度及び前記受光部の受光感度のうちの少なくとも１つを調整する、
請求項１に記載の光検出装置。
【請求項８】
残光特性を持つ蛍光体が塗布される紙葉類から残光を検出する光検出装置を備える紙葉類処理装置であって、
紙葉類を搬送する搬送部と、
前記搬送部により搬送される前記紙葉類に対して励起光を照射する照明部と、
入射する光の光強度を検出する受光部と、
前記照明部と対向する位置に設けられ、励起光が入射する場合に蛍光を発する蛍光部材と、前記蛍光部材から発せられる蛍光が前記受光部に入射するように導光する導光体と、を備える蛍光基準部材と、
前記蛍光部材から発せられて前記導光体を通り前記受光部に入射する蛍光から前記受光部により検出する光強度に基づいて、前記照明部の発光強度及び前記受光部の受光感度のうちの少なくとも１つを調整する調整部と、
前記調整部により調整が行われた前記照明部及び前記受光部により、検知対象である前記紙葉類に対して、蛍光検知を行う検知部と、
前記検知部による検知結果に基づいて、前記紙葉類を区分する区分処理部と、
を具備する紙葉類処理装置。
【発明の詳細な説明】
【技術分野】
【０００１】
本発明の実施形態は、光検出装置、及び光検出装置を備える紙葉類処理装置に関する。
【背景技術】
【０００２】
従来、例えば紙幣などの紙葉類の計数及び判別を行う紙葉類処理装置が実用化されている。紙葉類処理装置は、投入部に投入された紙葉類を１枚ずつ取り込み、紙葉類の検査装置に搬送する。検査装置は、紙葉類に対して種々の処理を行い紙葉類の状態を判別する。紙葉類処理装置は、検査装置の検査結果に基づいて、紙葉類を区分して集積する。
【０００３】
紙葉類処理装置は、検査装置の検査結果に基づいて、紙葉類が再流通可能な紙葉類であるか否かを判定する。例えば、紙葉類処理装置は、再流通に適さない紙葉類に対して「損券（ｕｎｆｉｔ  ｓｈｅｅｔ）」という判定を行う。また、例えば、紙葉類処理装置は、再流通に適する紙葉類に対して「正券（ｆｉｔ  ｓｈｅｅｔ）」という判定を行う。
【０００４】
紙葉類処理装置により処理する紙葉類には、蛍光印刷情報が印刷されている。蛍光印刷情報は、蛍光体を含むインク（蛍光インク）により印刷された情報である。蛍光体は、励起光源から射出される励起光（例えば紫外線）などにより励起される。励起光により励起された蛍光体は、光（蛍光）を発する。また、励起光の照射が中断された場合、蛍光体は、時間とともに徐々に減衰する光（残光）を発する。
【０００５】
検査装置は、光検出装置を備える。光検出装置は、紙葉類から蛍光印刷情報を読み取るための光検出装置をさらに備える。光検出装置は、励起光を紙葉類に照射する励起光源と、蛍光を検出するセンサとを備える。光検出装置は、紙葉類に対して励起光源から励起光を照射して蛍光体を励起させる。光検出装置は、励起された蛍光体から発せられる蛍光及び残光をセンサにより検出する。
【先行技術文献】
【特許文献】
【０００６】
【特許文献１】特開２０１０−０３９８９７号公報
【発明の概要】
【発明が解決しようとする課題】
【０００７】
より高い精度で検査を行うことができる光検出装置、及び光検出装置を備える紙葉類処理装置を提供することを目的とする。
【課題を解決するための手段】
【０００８】
一実施形態に係る光検出装置は、残光特性を持つ蛍光体が塗布される紙葉類から残光を検出する光検出装置であって、照明部と、受光部と、蛍光基準部材と、調整部と、検知部とを備える。照明部は、搬送される前記紙葉類に対して励起光を照射する。受光部は、入射する光の光強度を検出する。蛍光基準部材は、前記照明部と対向する位置に設けられ、励起光が入射する場合に蛍光を発する蛍光部材と、前記蛍光部材から発せられる蛍光が前記受光部に入射するように導光する導光体と、を備える。調整部は、前記蛍光部材から発せられて前記導光体を通り前記受光部に入射する蛍光から前記受光部により検出する光強度に基づいて、前記照明部の発光強度及び前記受光部の受光感度のうちの少なくとも１つを調整する。検知部は、前記調整部により調整が行われた前記照明部及び前記受光部により、検知対象である前記紙葉類に対して、蛍光検知を行う。
【図面の簡単な説明】
【０００９】
【図１】図１は、一実施形態に係る紙葉類処理装置の外観について説明するための説明図である。
【図２】図２は、一実施形態に係る紙葉類処理装置の構成例について説明するための説明図である。
【図３】図３は、一実施形態に係る紙葉類処理装置の制御系の構成例について説明するための説明図である。
【図４】図４は、一実施形態に係る光検出装置の構成例について説明するための説明図である。
【図５】図５は、一実施形態に係る光検出装置の構成例について説明するための説明図である。
【図６】図６は、一実施形態に係る残光減衰特性について説明するための説明図である。
【図７】図７は、一実施形態に係る光検出装置の構成例について説明するための説明図である。
【図８】図８は、一実施形態に係る光検出装置の構成例について説明するための説明図である。
【図９】図９は、一実施形態に係る光検出装置の構成例について説明するための説明図である。
【図１０】図１０は、一実施形態に係る光検出装置の構成例について説明するための説明図である。
【図１１】図１１は、一実施形態に係る光検出装置の構成例について説明するための説明図である。
【図１２】図１２は、一実施形態に係る光検出装置の構成例について説明するための説明図である。
【図１３】図１３は、一実施形態に係る光検出装置の構成例について説明するための説明図である。
【図１４】図１４は、一実施形態に係る光検出装置の構成例について説明するための説明図である。
【発明を実施するための形態】
【００１０】
以下、図面を参照しながら、一実施形態に係る光検出装置、及び光検出装置を備える紙葉類処理装置について詳細に説明する。
【００１１】
（第１の実施形態）  
図１は、一実施形態に係る紙葉類処理装置１００の外観について説明するための説明図である。  
図１に示すように、紙葉類処理装置１００は、装置外部に、投入部１１２、操作部１３６、操作表示部１３７、ドア１３８、取出口１３９、及びキーボード１４０を備えている。
【００１２】
投入部１１２は、例えば紙幣などの紙葉類８を投入するための構成である。投入部１１２は、重ねられた状態の紙葉類８をまとめて受け入れる。操作部１３６は、オペレータによる各種操作入力を受け付ける。操作表示部１３７は、オペレータに対して各種の操作案内、及び処理結果などを表示する。なお、操作表示部１３７は、タッチパネルとして構成されていてもよい。この場合、紙葉類処理装置１００は、操作表示部１３７に表示されるボタンと、操作表示部１３７に対するオペレータによる操作と、に基づいて、各種の操作入力を検知する。
【００１３】
ドア１３８は、投入部１１２の投入口を開閉する為のドアである。取出口１３９は、紙葉類処理装置１００により再流通不可と判断された紙葉類８がスタックされる集積部から紙葉類８を取り出す為の構成である。キーボード１４０は、オペレータによる各種操作入力を受け付ける入力部として機能する。
【００１４】
図２は、図１に示す紙葉類処理装置１００の構成例について説明するための説明図である。  
紙葉類処理装置１００は、装置内部に、投入部１１２、取出部１１３、吸着ローラ１１４、搬送路１１５、検査部１１６、ゲート１２０乃至１２５、排除搬送路１２６、排除集積部１２７、集積・結束部１２８乃至１３１、裁断部１３３、及びスタッカ１３４を備える。また、紙葉類処理装置１００は、主制御部１５１を備える。主制御部１５１は、紙葉類処理装置１００の各部の動作を統合的に制御する。
【００１５】
取出部１１３は、投入部の上部に設けられる。取出部１１３は、吸着ローラ１１４を備えている。吸着ローラ１１４は、投入部１１２にセットされた紙葉類８を集積方向の上端に接するように設けられている。即ち、吸着ローラ１１４は、回転することにより、投入部１１２にセットされた紙葉類８を集積方向の上端から１枚ずつ装置内部に取り込む。吸着ローラ１１４は、たとえば、１回転するごとに１枚の紙葉類８を取出すように機能する。これにより、吸着ローラ１１４は、紙葉類８を一定のピッチで取出す。吸着ローラ１１４により取り込まれた紙葉類８は、搬送路１１５に導入される。
【００１６】
搬送路１１５は、紙葉類８を紙葉類処理装置１００内の各部に搬送する搬送手段である。搬送路１１５は、図示しない搬送ベルト及び駆動プーリなどを備えている。搬送路１１５は、図示しない駆動モータ及び駆動プーリにより搬送ベルトを動作させる。搬送路１１５は、吸着ローラ１１４により取り込まれた紙葉類８を搬送ベルトにより一定速度で搬送する。なお、搬送路１１５における取出部１１３に近い側を上流側、スタッカ１３４に近い側を下流側として説明する。
【００１７】
取出部１１３から延びた搬送路１１５上には、検査部１１６が設けられている。検査部１１６は、画像読取装置１１７、画像読取装置１１８、光検出装置１３５、及び厚み検査部１１９を備えている。検査部１１６は、紙葉類８の光学的特徴情報、機械的特徴、及び磁気的特長情報を検出する。これにより、紙葉類処理装置１００は、紙葉類８の種類、汚損度、及び真偽などを検知する。
【００１８】
画像読取装置１１７、及び１１８は、それぞれ搬送路１１５を挟んで対面するように設けられている。画像読取装置１１７、及び１１８は、搬送路１１５を搬送される紙葉類８の両面の画像を読み取る。画像読取装置１１７、及び１１８は、それぞれ、Ｃｈａｒｇｅ  Ｃｏｕｐｌｅｄ  Ｄｅｖｉｃｅ（ＣＣＤ）カメラを備える。紙葉類処理装置１００は、画像読取装置１１７、及び１１８により撮像した画像に基づいて、紙葉類８の表面及び裏面の模様画像を取得する。
【００１９】
画像読取装置１１７、及び１１８は、読み取った画像を検査部１１６内の図示しないメモリに一時的に記憶する。紙葉類処理装置１００は、このメモリに記憶されている画像を操作入力に応じて操作表示部１３７に表示する。
【００２０】
光検出装置１３５は、搬送される紙葉類８に対して励起光を照射する。さらに光検出装置１３５は、紙葉類８から蛍光、及び／または残光を検出する。これにより、光検出装置１３５は、例えば、紙葉類８上の蛍光印刷情報を検出する。
【００２１】
厚み検査部１１９は、搬送路１１５を搬送される紙葉類８の厚みを検査する。例えば、検出した厚みが規定値以上である場合、紙葉類処理装置１００は、紙葉類８の２枚取りを検出する。
【００２２】
また、検査部１１６は、図示しない磁気センサなどを備えている。磁気センサは、紙葉類８の磁気的な特徴情報を検出する。
【００２３】
主制御部１５１は、画像読取装置１１７、１１８、光検出装置１３５、厚み検査部１１９、及び磁気センサなどによる検出結果に基づいて、各種の判定を行う。例えば、主制御部１５１は、紙葉類８の種類（ｃａｔｅｇｏｒｙ）を判定する。
【００２４】
また、主制御部１５１は、紙葉類８の真偽（ａｕｔｈｅｎｔｉｃａｔｉｏｎ）を判定する。すなわち、主制御部１５１は、紙葉類８が真券(ｌｅｇａｌ  ｓｈｅｅｔ)であるか、偽券(ｉｌｌｅｇａｌ  ｓｈｅｅｔ)であるかを判定する。
【００２５】
また、主制御部１５１は、紙葉類８の正損（ｒｅｃｉｒｃｕｌａｔａｂｌｅ／ｕｎｒｅｃｉｒｃｕｌａｔａｂｌｅ）を検知する。即ち、主制御部１５１は、紙葉類８が再流通可能（ｒｅｃｉｒｃｕｌａｔａｂｌｅ）な正券（ｆｉｔ  ｓｈｅｅｔ）であるか、再流通不可能（ｕｎｒｅｃｉｒｃｕｌａｔａｂｌｅ）な損券（ｕｎｆｉｔ  ｓｈｅｅｔ）であるかを判定する。
【００２６】
さらに、主制御部１５１は、紙葉類８が排除券であるか否か判定する。すなわち、主制御部１５１は、偽券と判定された紙葉類８、または厚み検査部１１９により重なりが検知された紙葉類８を、排除券と判定する。すなわち、排除券は、正券及び損券に該当しない紙葉類８である。
【００２７】
紙葉類処理装置１００は、正券と判定した紙葉類８を集積・結束部１２８乃至１３１に搬送する。また、紙葉類処理装置１００は、損券と判定した紙葉類８を裁断部１３３に搬送する。裁断部１３３は、搬送される損券を裁断する。なお、紙葉類処理装置１００は、損券をスタッカ１３４に搬送し集積してもよい。スタッカ１３４は、集積した損券が例えば１００枚に到達するごとに施封を行う。
【００２８】
紙葉類処理装置１００は、排除券と判定した紙葉類８を排除集積部１２７に搬送する。排除券は、例えば、２枚取り券などの搬送異常券、折れまたは破れなどが存在する不良券、及び適用外券種または偽券などの判別不能券を含む。
【００２９】
検査部１１６の下流側の搬送路１１５上には、ゲート１２０乃至１２５が順に配設されている。ゲート１２０乃至１２５は、それぞれ、主制御部１５１により制御される。主制御部１５１は、検査部１１６による検査の結果に基づいて各ゲート１２０乃至１２５の動作を制御する。これにより、主制御部１５１は、搬送路１１５を搬送されている紙葉類８を所定の処理部に搬送するように制御する。
【００３０】
検査部１１６の直後に配設されたゲート１２０は、搬送路１１５を排除搬送路１２６に分岐する。即ち、ゲート１２０は、検査部１１６による検査の結果、真券ではないと判定された排除券、または、検査部１１６による検査を行うことができない検査不能券等を排除搬送路１２６に搬送するように切り替えられる。
【００３１】
排除搬送路１２６の終端部には、排除集積部（排除部）１２７が設けられている。排除集積部１２７は、取出部１１３にて取出した姿勢のまま、上記したような排除券、及び検査不能券を集積する。排除集積部１２７に集積された紙葉類８は、取出口１３９から取り出すことができる。
【００３２】
また、ゲート１２１乃至１２４により分岐される先には、集積・結束部１２８乃至１３１（総じて集積結束部１３２と称する）がそれぞれ設けられている。集積・結束部１３２には、再流通可能であると判定された紙葉類８が種類及び表裏毎に区別されて集積される。集積・結束部１３２は、集積した紙葉類８を所定枚数毎に結束して格納する。
【００３３】
ゲート１２５により分岐される先には、裁断部１３３が配設されている。裁断部１３３は、紙葉類８を裁断して収納する。ゲート１２５には、正規の紙葉類８であり、且つ、再流通が不可能であると判定された紙葉類８（損券）が搬送される。
【００３４】
また、ゲート１２５により分岐される他方の搬送路の先には、スタッカ１３４が配設されている。主制御部１５１は、損券裁断モードが選択されている場合、紙葉類８を裁断部１３３に搬送するようにゲート１２５を制御する。また、主制御部１５１は、損券裁断モードが選択されていない場合、紙葉類８をスタッカ１３４に搬送するようにゲート１２５を制御する。
【００３５】
なお、主制御部１５１は、集積・結束部１３２に集積された紙葉類８の枚数、及び、裁断部１３３により裁断された紙葉類８の枚数及び識別情報を逐次記憶する。
【００３６】
図３は、図１及び図２に示す紙葉類処理装置１００の制御系の構成例について説明するためのブロック図である。
【００３７】
紙葉類処理装置１００は、主制御部１５１、検査部１１６、搬送制御部１５２、集積・結束制御部１５３、裁断制御部１５６、操作表示部１３７、及びキーボード１４０などを備える。
【００３８】
主制御部１５１は、紙葉類処理装置１００の全体的な制御を司る。主制御部１５１は、操作表示部１３７により入力される操作、及び検査部１１６による検査結果に基づき、搬送制御部１５２及び集積・結束制御部１５３を制御する。
【００３９】
例えば、紙葉類処理装置１００を操作する操作員は、操作表示部１３７またはキーボード１４０により、処理する紙葉類８に対する各種の判定における閾値、紙葉類８の供給元の名称、及び処理方法などを入力する。
【００４０】
検査部１１６は、画像読取装置１１７、及び１１８、厚み検査部１１９、光検出装置１３５、その他のセンサ類１５４、及びＣＰＵ１５５を備える。
【００４１】
画像読取装置１１７、及び１１８は、搬送路１１５を搬送される紙葉類８の両面の画像を読み取る。画像読取装置１１７、及び１１８は、例えばＣＣＤなどの受光素子と光学系とを備える。画像読取装置１１７、及び１１８は、搬送される紙葉類８に対して光を投光し、反射光または透過光を光学系により受光する。画像読取装置１１７、及び１１８は、光学系により受光した光をＣＣＤに結像させ、電気信号（画像）を取得する。
【００４２】
主制御部１５１は、紙葉類８の基準となる画像（基準画像）を記憶部１５１ａに予め記憶する。主制御部１５１は、紙葉類８から取得した画像と、記憶部１５１ａに記憶される基準画像とを比較することにより、紙葉類８に対する各種の判定を行う。
【００４３】
光検出装置１３５は、上記したように、搬送される紙葉類８に対して励起光を照射する。さらに光検出装置１３５は、紙葉類８から蛍光、及び／または残光を検出する。これにより、光検出装置１３５は、例えば、紙葉類８上の蛍光印刷情報を検出する。
【００４４】
また、記憶部１５１ａは、光検出装置１３５の検出結果と比較する閾値を予め記憶する。主制御部１５１は、光検出装置１３５の検出結果と記憶部１５１ａに記憶されている閾値とに基づいて、紙葉類８に対する各種の判定を行う。
【００４５】
厚み検査部１１９は、搬送路１１５を搬送される紙葉類８の厚みを検査する。その他のセンサ類１５４は、例えば、磁気センサなどである。磁気センサは、搬送路１１５を搬送される紙葉類８から磁気的な特徴情報を検出する。
【００４６】
ＣＰＵ１５５は、画像読取装置１１７、１１８、厚み検査部１１９、光検出装置１３５、及びその他のセンサ類１５４などの動作の制御を行う。また、ＣＰＵ１５５は、主制御部１５１とデータの伝送を行う。すなわち、ＣＰＵ１５５は、検査部１１６の各部における検知結果を主制御部１５１に伝送することができる。
【００４７】
搬送制御部１５２は、主制御部１５１の制御に基づき、取出部１１３、搬送路１１５、排除搬送路１２６、及びゲート１２０乃至１２５を制御する。これにより、搬送制御部１５２は、紙葉類８の取り込み及び搬送を制御する。また、搬送制御部１５２は、判定した紙葉類８の種類毎に区分する区分処理を行う。即ち、搬送制御部１５２は、区分処理部として機能する。
【００４８】
例えば、搬送制御部１５２は、損券であると判定された紙葉類８を裁断部１３３、またはスタッカ１３４に搬送するようにゲート１２０乃至１２５を制御する。また、搬送制御部１５２は、排除券であると判定された紙葉類８を排除集積部１２７に搬送するようにゲート１２０乃至１２５を制御する。またさらに、搬送制御部１５２は、正券であると判定された紙葉類８を集積結束部１３２に搬送するようにゲート１２０乃至１２５を制御する。
【００４９】
集積・結束制御部１５３は、主制御部１５１の制御に基づき、排除集積部１２７及び集積・結束部１２８乃至１３１を制御する。これにより、集積・結束制御部１５３は、紙葉類８の集積、及び結束の制御を行なう。
【００５０】
裁断制御部１５６は、主制御部１５１の制御に基づき、裁断部１３３の動作を制御する。これにより、裁断部１３３は、搬送される紙葉類８の裁断を行う。
【００５１】
なお、紙葉類８上に例えば、蛍光体を含有する蛍光インクにより印刷された蛍光印刷情報が印刷されていると仮定して光検出装置１３５について説明する。
【００５２】
図４は、第１の実施形態に係る光検出装置１３５の構成例について説明するための説明図である。また、図５は、光検出装置１３５の一部を図４の上方から見た図である。  
光検出装置１３５は、例えば紙葉類処理装置１００の搬送路１１５の近傍に設置される。図４に示すように、光検出装置１３５は、検出部２、制御部３、判定部４、及びメモリ１０を備える。検出部２は、照明部５、受光部６、及び蛍光基準部材７を備える。
【００５３】
紙葉類８は、搬送路１１５により図４に示す矢印ａの方向に搬送される。即ち、図４に示す矢印ａは、紙葉類８の搬送方向を示す。また、紙葉類８上には、蛍光体を含有する蛍光インクにより蛍光印刷情報９が印刷されている。
【００５４】
また、図５に示す矢印ｂは、受光部６の走査方向を示す。なお、搬送方向ａと走査方向ｂとは互いに直交する。紙葉類８は、搬送方向ａと走査方向ｂとを含む面（搬送面Ｐ）に沿って搬送される。
【００５５】
検出部２は、紙葉類８から残光を検出する。検出部２の照明部５は、例えば、紫外線などの励起光を照射する。照明部５は、搬送路１１５上（搬送面Ｐ上）の所定の照射範囲に励起光を照射する。即ち、照明部５は、搬送路１１５により搬送される紙葉類８に対して励起光を照射する。
【００５６】
上記したように、紙葉類８は、蛍光印刷情報９を備える。蛍光印刷情報９の蛍光体は、励起光が照射される場合、蛍光を発する。なお、照明部５は、少なくとも紙葉類８の蛍光印刷情報９が通過する範囲であり、且つ、受光部６の走査範囲を含まない範囲に対して励起光を照射する。
【００５７】
蛍光印刷情報９の蛍光体は、励起光が照射される場合、照射時間に応じて蛍光の発光量を増加させる。蛍光印刷情報９の蛍光体は、励起光が所定時間照射される場合、蛍光の発光量が増加しない発光飽和状態になる。
【００５８】
また、蛍光印刷情報９の蛍光体は、図６に示すような残光減衰特性を有する。図６は、図４に示す光検出装置１３５により処理する紙葉類８の蛍光印刷情報９の蛍光体の残光減衰特性について説明するための説明図である。
【００５９】
図６に示すように、蛍光印刷情報９の蛍光体は、発光飽和している状態で励起光の照射が停止される場合、時間に応じて蛍光の発光量が減衰する。即ち、蛍光印刷情報９の蛍光体の発光量は、励起光の照射が停止される時刻ｔからの経過時間に応じて減衰する。なお、残光減衰特性は、蛍光体の種類に応じた固有の特性である。即ち、蛍光体の種類が異なる場合、減衰特性が異なる。
【００６０】
照明部５は、例えば、紫外線を出力する蛍光灯、または冷陰極管を備える。照明部５は、高周波の電圧を受けることにより、連続して紫外線を照射することができる。
【００６１】
また、近年、ＬＥＤ素子が高輝度化している。この為、照明部５は、紫外光を発するＬＥＤ素子を備える構成であってもよい。また、照明部５は、水銀ランプ等の紫外線を含む光を照射する光源を備える構成であってもよい。
【００６２】
また、本実施形態では、紫外線を照射することにより光を発する蛍光体を例に挙げて説明するが、実施例は、この例に限定されない。例えば、赤外線により励起されて光を発する蛍光体を検出する場合、照明部５は、赤外線を出力する照明装置により構成される。即ち、照明部５は、検出する物体の特性に応じて適宜変更される。
【００６３】
受光部６は、所定の走査範囲を走査し、画像または光強度に応じた電気信号を取得する。すなわち、受光部６は、入射する光の光強度を検出値として検出する。受光部６は、例えば、ＣＭＯＳ、フォトダイオード、またはＣＣＤなどのセンサと、光を受光するレンズと、フィルタ（波長制限媒体）とを備える。
【００６４】
フィルタは、所定の波長の領域の光を透過する。たとえば、フィルタは、紙葉類８に塗布されている蛍光体を励起することにより発せられる蛍光（及びその付近の波長帯域の光）のみを透過する。なお、受光部６は、所定の波長を感度領域とするセンサを備える構成であってもよい。この場合、フィルタの構成は省略される。
【００６５】
レンズは、搬送路１１５上の所定の走査領域からフィルタを透過した光を受光する。レンズは、搬送路１１５上（搬送面Ｐ上）の所定の走査範囲から光を受光し、受光した光をセンサに結像させる。センサは、受光した光を電気信号に変換する。
【００６６】
なお、受光部６は、照明部５の照射範囲より下流側であり、且つ、照明部５の照射範囲と重ならない範囲から光を取得する。即ち、照明部５及び受光部６は、照明部５の照射範囲と、受光部６の走査範囲とが搬送方向ａにおいて所定距離離隔されて配置されている。これにより、受光部６は、紙葉類８の蛍光体から発せられる残光を検出することができる。
【００６７】
蛍光基準部材７は、蛍光部材７１、導光体７２、充填材７３、マスク板７４、及びケース７５を備える。
【００６８】
蛍光部材７１は、蛍光体が塗布される、または蛍光体を含有するガラスなどにより構成される。蛍光部材７１は、励起光が照射される場合に蛍光発光する。導光体７２は、入射した光を導光する。導光体７２は、蛍光部材７１と面するように設置される。なお、蛍光部材７１は、少なくとも、照明部５と対向する位置にのみ設けられていればよい。これにより、蛍光部材７１のサイズを抑えることができる。
【００６９】
充填材７３は、ケース７５と導光体７２との隙間を埋める。充填材７３は、導光体７２を通る光を反射する。マスク板７４は、光を遮光する遮光部材である。ケース７５は、内部に設置される蛍光部材７１、導光体７２、充填材７３、及びマスク板７４を保護する。
【００７０】
充填材７３は、蛍光部材７１からの蛍光、および導光体７２を通る光が反射する構造となっている。これにより、充填材７３は、導光体７２内における光の伝達効率を向上させることができる。
【００７１】
図４に示すように、蛍光基準部材７は、紙葉類８の搬送面Ｐを挟んで照明部５及び受光部６と対向する位置に配置される。
【００７２】
マスク板７４は、少なくとも２つの開口部７６、及び７７を備える。マスク板７４の１つの開口部７６は、照明部５から照射される光が導光体７２に入射するように設けられる。即ち、開口部７６は、図５に示すように、照明部５の照射範囲内に設けられる。なお、開口部７６及び開口部７７は、照明部５の照射範囲、及び受光部６の走査範囲に応じて適宜サイズを変えても良い。
【００７３】
図７は、図４に示す検出部２における光の経路について説明する為の説明図である。  
図７に示すように、照明部５から射出された励起光は、マスク板７４の開口部７６を通り、導光体７２に入射する。導光体７２に入射した励起光は、蛍光部材７１を照射する。蛍光部材７１は、例えば、紙葉類８に塗布されている蛍光体と同じ蛍光発光特性を持つ。蛍光部材７１は、照明部５からの励起光により蛍光発光する。即ち、蛍光部材７１は、蛍光を放出する。
【００７４】
なお、本実施形態によると、導光体７２が各部に光を導光する。この為、蛍光部材７１は、少なくとも照明部５と対向する位置に設けられていればよい。
【００７５】
蛍光部材７１から放出される蛍光は、照明部５に対峙する位置から受光部６に対峙する位置まで配置されている導光体７２に入射する。
【００７６】
マスク板７４の他方の開口部７７は、受光部６と対峙する位置に設けられている。即ち、開口部７７は、図５に示すように、受光部６の走査範囲内に設けられる。
【００７７】
蛍光部材７１から導光体７２内に入射する蛍光は、導光体７２内を通り、開口部７７から射出される。開口部７７から射出された蛍光は、受光部６のレンズに入射する。これにより、蛍光基準部材７は、蛍光基準を受光部６に与えることができる。
【００７８】
なお、この場合、照明部５から射出されて導光体７２に入射した励起光も導光体７２内を通り開口部７７から射出される。しかし、上記したように、受光部６は、蛍光の波長帯域の光を透過させ、他の帯域の光を遮断するフィルタ、または、蛍光の波長を感度帯域とするセンサを備える。この為、受光部６は、励起光を検出することなく、蛍光の検出値（光強度）を取得することができる。
【００７９】
なお、導光体７２は、例えば、ガラスなどにより実現可能であるが、この構成に限定されない。導光体７２は、光を導光することができる光ファイバー、プラスチック、アクリル、または他の透明物質により実現可能である。
【００８０】
制御部３は、光検出装置１３５の全体の制御を司るものである。判定部４は、紙葉類８上における残光発光（蛍光発光）の有無を判定する。メモリ１０は、照明部５、及び受光部６の調整に用いられる第１の基準レベルと、判定部４による判定に用いられる第２の基準レベルとを記憶する。
【００８１】
制御部３は、例えば、ＣＰＵ、バッファメモリ、プログラムメモリ、及び不揮発性メモリなどを備えている。ＣＰＵは、種々の演算処理を行う。バッファメモリは、ＣＰＵにより演算結果を一時的に記憶する。プログラムメモリ及び不揮発性メモリは、ＣＰＵが実行する種々のプログラム及び制御データなどを記憶する。
【００８２】
制御部３は、ＣＰＵによりプログラムメモリに記憶されているプログラムを実行することにより、種々の処理を行うことができる。例えば、制御部３は、受光部６の動作のタイミングを制御する。
【００８３】
また、制御部３は、図３に示す検査部１１６のＣＰＵ１５５及び主制御部１５１と接続されている。例えば、制御部３は、処理結果を主制御部１５１またはＣＰＵ１５５に伝送することができる。また、主制御部１５１またはＣＰＵ１５５から送信される制御信号に基づいて、光検出装置１３５の動作を制御することが出来る。
【００８４】
例えば、制御部３は、制御信号を生成し、生成した制御信号を受光部６に入力する。受光部６は、入力される制御信号が示すタイミングに基づいて、センサに溜まった電荷を取得する。これにより、受光部６は、光強度（検出値）を取得することができる。さらに、制御部３は、必要に応じて受光部６により取得する信号に対して信号処理を施し、蛍光画像（残光画像）を取得する。
【００８５】
制御部３は、照明部５の照射範囲、及び受光部６の走査範囲に紙葉類８が存在しない場合に受光部６により検出する検出値と、メモリ１０に記憶されている第１の基準レベルとの比較を行う。制御部３は、比較結果に応じて、照明部５の発光強度、及び受光部６の受光感度を調整する。
【００８６】
即ち、受光部６により検出する検出値がメモリ１０に記憶されている第１の基準レベルと同じレベル（または所定の値の範囲内）になるように、照明部５の発光強度、及び受光部６の受光感度を調整する。
【００８７】
例えば、検出値が第１の基準レベルより低い場合、制御部３は、照明部５の発光強度、及び受光部６の受光感度を高める。また、検出値が第１の基準レベルより高い場合、制御部３は、照明部５の発光強度、及び受光部６の受光感度を低める。これにより、制御部３は、受光部６により検出する検出値をモニタしながら、照明部５の発光強度及び受光部６の受光感度を調整することができる。
【００８８】
また、制御部３は、調整した照明部５及び受光部６を用いて紙葉類８に対して蛍光検知を行う。即ち、制御部３は、受光部６の走査範囲に紙葉類８が存在する場合に受光部６により検出する検出値と、メモリ１０に記憶されている第２の基準レベルとの比較を行う。判定部４は、比較結果に基づいて、紙葉類８上における残光発光の有無を判定する。
【００８９】
即ち、受光部６により検出する検出値がメモリ１０に記憶されている第２の基準レベルと同じレベル（または所定の値の範囲内）である場合、判定部４は、紙葉類８上に残光発光が存在すると判定する。即ち、判定部４は、この場合、紙葉類８上に蛍光印刷情報９が存在すると判定する。
【００９０】
また、例えば、判定部４は、光部６により検出する検出値とメモリ１０に記憶されている第２の基準レベルとが異なる場合、紙葉類８を偽券、損券、または排除券と判定する。
【００９１】
図８は、光検出装置１３５の動作について説明する為のフローチャートである。なお、照明部５の照射範囲及び受光部６の走査範囲に紙葉類８が存在しないと仮定して説明をする。即ち、光検出装置１３５の制御部３は、照明部５の照射範囲及び受光部６の走査範囲に紙葉類８が存在しない場合に図８に示すフローチャートを実行する。  
まず、光検出装置１３５は、照明部５により励起光を照射範囲に照射する（ステップＳ１１）。この場合、照明部５から射出された励起光は、蛍光基準部材７のマスク板７４の開口部７６を通り、導光体７２に入射する。導光体７２に入射した励起光は、導光体７２内を通り蛍光部材７１に入射する。
【００９２】
蛍光部材７１上の蛍光体は、励起光により励起され、蛍光を発する。蛍光部材７１から発せられた蛍光は、導光体７２に入射し、導光体７２内を通り、開口部７７から射出される。開口部７７から射出される蛍光は、受光部６のレンズに入射する。ここで、光検出装置１３５は、受光部６により蛍光を検出する（ステップＳ１２）。即ち、光検出装置１３５は、受光部６により検出値を取得する。
【００９３】
光検出装置１３５の制御部３は、メモリ１０に記憶されている第１の基準レベルと受光部６により検出した検出値とを比較する（ステップＳ１３）。メモリ１０に記憶されている第１の基準レベルと受光部６により検出した検出値とが同じレベルである場合、制御部３は、処理を終了する。
【００９４】
メモリ１０に記憶されている第１の基準レベルと受光部６により検出した検出値とが異なる場合、制御部３は、照明部５の発光強度を調整する（ステップＳ１４）。さらに、制御部３は、受光部６の受光感度を調整する（ステップＳ１５）。なお、照明部５の発光強度と受光部６の受光感度の調整は、どちらを先に行ってもよい。また、照明部５の発光強度及び受光部６の受光感度を同時に調整する構成であってもよい。
【００９５】
これらの調整は、光検出装置１３５が搭載される紙葉類処理装置１００が非稼動の時（紙葉類８が搬送されていない時）に行われても良いし、紙葉類処理装置１００が可動している時（媒体が搬送されている時）の紙葉類８と紙葉類８との間に行われても良い。
【００９６】
上記したように、本実施形態に係る光検出装置１３５は、照明部５と対向する位置に設けられる蛍光部材７１と、導光体７２と、照明部５の照射範囲内と受光部６の走査範囲内に開口部７６、７７を備えるマスク板とを備える。この構成によると、光検出装置１３５は、照明部５の照明範囲及び受光部６の走査範囲に紙葉類８が存在しない場合に、受光部６により蛍光基準部材７から受光する基準光に基づいて、照明部５の発光強度及び受光部６の受光感度を調整することができる。
【００９７】
この構成によると、蛍光基準板（蛍光部材７１）を受光部６の走査範囲に設ける必要が無い為、蛍光基準部材７は、サイズを抑え、且つ、受光部６に基準光を与えることができる。また、受光部６は、導光体７２から直接基準となる蛍光を取得することができる。これにより、光検出装置１３５は、精度の高い基準光に基づいて各部の調整を行うことができる。この結果、より高い精度で検査を行うことができる光検出装置、及び光検出装置を備える紙葉類処理装置を提供することができる。
【００９８】
（第２の実施形態）  
図９は、第２の実施形態に係る光検出装置１３５の構成例について説明するための説明図である。なお、第１の実施形態と同じ構成には同じ参照符号を付し、その詳細な説明を省略する。また、図１０は、図９に示す検出部２における光の経路について説明する為の説明図である。
【００９９】
図９に示す光検出装置１３５の蛍光基準部材７は、導光体７２を通る光を受光することができるように設けられた光センサ７８、及びフィルタ（波長制限媒体）７９をさらに備える。また、メモリ１０は、第３の基準レベルを予め記憶する。
【０１００】
光センサ７８は、例えば、ＣＭＯＳ、フォトダイオード、またはＣＣＤなどのセンサである。光センサ７８は、受光素子に入射する光の強度に応じて電気信号を生成する。即ち、光センサ７８は、受光する光の強度を検出する。
【０１０１】
フィルタ７９は、所定の波長の領域の光を透過する。たとえば、フィルタ７９は、照明部５から射出される励起光を透過し、他の波長の光を遮断する。なお、光センサ７８が、照明部５から射出される励起光の波長を感度領域とするセンサにより構成されていてもよい。この場合、フィルタ７９の構成を省略することができる。
【０１０２】
図１０に示すように、照明部５から射出された励起光は、蛍光基準部材７のマスク板７４の開口部７６を通り、導光体７２に入射する。導光体７２に入射した励起光の一部は、蛍光部材７１に入射する。これにより、蛍光部材７１は、蛍光を発する。
【０１０３】
また、導光体７２に入射した励起光の一部は、フィルタ７９を透過し、光センサ７８に入射する。光センサ７８は、入射した励起光の強度に応じて検出値を取得し、取得した検出値を制御部３に送信する。
【０１０４】
なお、この場合、蛍光部材７１から発せられる蛍光も、導光体７２を通り、フィルタ７９に入射する。しかし、フィルタ７９は、蛍光の波長帯域の光を遮断する。この為、光センサ７８は、蛍光を検出することなく、励起光の検出値を取得することができる。なお、光センサ７８は、照明部５から照射される励起光を受光することができる位置であれば如何なる位置に設けられていても良い。
【０１０５】
制御部３は、照明部５の照射範囲に紙葉類８が存在しない場合に光センサ７８により検出する検出値と、メモリ１０に記憶されている第３の基準レベルとの比較を行う。制御部３は、比較結果に応じて、照明部５の発光強度を調整する。
【０１０６】
即ち、制御部３は、光センサ７８により検出する検出値がメモリ１０に記憶されている第３の基準レベルと同じレベル（または所定の値の範囲内）になるように、照明部５の発光強度を調整する。
【０１０７】
例えば、検出値が第３の基準レベルより低い場合、制御部３は、照明部５の発光強度を高める。また、検出値が第３の基準レベルより高い場合、制御部３は、照明部５の発光強度を低める。これにより、制御部３は、光センサ７８により検出する検出値をモニタしながら、照明部５の発光強度を調整することができる。
【０１０８】
さらに、制御部３は、照明部５の照射範囲及び受光部６の走査範囲に紙葉類８が存在しない場合に受光部６により検出する検出値と、メモリ１０に記憶されている第１の基準レベルとの比較を行う。制御部３は、比較結果に応じて、受光部６の受光感度を調整する。
【０１０９】
即ち、制御部３は、受光部６により検出する検出値がメモリ１０に記憶されている第１の基準レベルと同じレベル（または所定の値の範囲内）になるように、受光部６の受光感度を調整する。
【０１１０】
例えば、検出値が第１の基準レベルより低い場合、制御部３は、受光部６の受光感度を高める。また、検出値が第１の基準レベルより高い場合、制御部３は、受光部６の受光感度を低める。これにより、制御部３は、受光部６により検出する検出値をモニタしながら、受光部６の受光感度を調整することができる。
【０１１１】
また、制御部３は、調整した照明部５及び受光部６を用いて紙葉類８に対して蛍光検知を行う。即ち、制御部３は、受光部６の走査範囲に紙葉類８が存在する場合に受光部６により検出する検出値と、メモリ１０に記憶されている第２の基準レベルとの比較を行う。判定部４は、比較結果に基づいて、紙葉類８上における残光発光の有無を判定する。
【０１１２】
即ち、受光部６により検出する検出値がメモリ１０に記憶されている第２の基準レベルと同じレベル（または所定の値の範囲内）である場合、判定部４は、紙葉類８上に残光発光が存在すると判定する。即ち、判定部４は、この場合、紙葉類８上に蛍光印刷情報９が存在すると判定する。
【０１１３】
また、例えば、判定部４は、光部６により検出する検出値とメモリ１０に記憶されている第２の基準レベルとが異なる場合、紙葉類８を偽券、損券、または排除券と判定する。
【０１１４】
図１１は、光検出装置１３５の動作について説明する為のフローチャートである。なお、照明部５の照射範囲及び受光部６の走査範囲に紙葉類８が存在しないと仮定して説明をする。即ち、光検出装置１３５の制御部３は、照明部５の照射範囲及び受光部６の走査範囲に紙葉類８が存在しない場合に図１１に示すフローチャートを実行する。  
まず、光検出装置１３５は、照明部５により励起光を照射範囲に照射する（ステップＳ２１）。この場合、照明部５から射出された励起光は、蛍光基準部材７のマスク板７４の開口部７６を通り、導光体７２に入射する。導光体７２に入射した励起光は、導光体７２内を通り蛍光部材７１に入射する。
【０１１５】
蛍光部材７１上の蛍光体は、励起光により励起され、蛍光を発する。蛍光部材７１から発せられた蛍光は、導光体７２に入射し、導光体７２内を通り、開口部７７から射出される。開口部７７から射出される蛍光は、受光部６のレンズに入射する。
【０１１６】
また、導光体７２に入射した励起光は、フィルタ７９を透過し、光センサ７８に入射する。ここで、光検出装置１３５は、光センサ７８により励起光を検出する（ステップＳ２２）。即ち、光検出装置１３５は、光センサ７８により励起光の検出値を取得する。
【０１１７】
光検出装置１３５の制御部３は、メモリ１０に記憶されている第３の基準レベルと光センサ７８により検出した検出値とを比較する（ステップＳ２３）。メモリ１０に記憶されている第３の基準レベルと光センサ７８により検出した検出値とが異なる場合、制御部３は、照明部５の発光強度を調整し（ステップＳ２４）、ステップＳ２１に移行する。即ち、制御部３は、照明部５の発光強度が第３の基準レベルに相当するようになるまで、ステップＳ２１乃至ステップＳ２４の処理を繰り返し行う。
【０１１８】
また、メモリ１０に記憶されている第３の基準レベルと光センサ７８により検出した検出値とが同レベルである場合、光検出装置１３５は、受光部６により蛍光を検出する（ステップＳ２５）。即ち、光検出装置１３５は、受光部６により蛍光の検出値を取得する。
【０１１９】
光検出装置１３５の制御部３は、メモリ１０に記憶されている第１の基準レベルと受光部６により検出した検出値とを比較する（ステップＳ２６）。メモリ１０に記憶されている第１の基準レベルと受光部６により検出した検出値とが同じレベルである場合、制御部３は、処理を終了する。
【０１２０】
メモリ１０に記憶されている第１の基準レベルと受光部６により検出した検出値とが異なる場合、制御部３は、受光部６の受光感度を調整し（ステップＳ２７）、ステップＳ２５に移行する。即ち、制御部３は、受光部６の受光感度が第１の基準レベルに相当するようになるまで、ステップＳ２５乃至ステップＳ２７の処理を繰り返し行う。
【０１２１】
これらの調整は、光検出装置１３５が搭載される紙葉類処理装置１００が非稼動の時（紙葉類８が搬送されていない時）に行われても良いし、紙葉類処理装置１００が可動している時（媒体が搬送されている時）の紙葉類８と紙葉類８との間に行われても良い。
【０１２２】
上記したように、本実施形態に係る光検出装置１３５は、照明部５と対向する位置に設けられる蛍光部材７１と、導光体７２と、照明部５の照射範囲内と受光部６の走査範囲内に開口部７６、７７を備えるマスク板と、光センサ７８とを備える。
【０１２３】
この構成によると、光検出装置１３５は、照明部５の照明範囲及び受光部６の走査範囲に紙葉類８が存在しない場合に、光センサ７８により検出する検出値に基づいて、照明部５の発光強度を調整する。さらに、光検出装置１３５は、受光部６により蛍光基準部材７から受光する基準光に基づいて、受光部６の受光感度を調整する。
【０１２４】
これにより、照明部５の発光強度と、受光部６の受光感度とをそれぞれ個別に調整することができる。この結果、より高い精度で検査を行うことができる光検出装置、及び光検出装置を備える紙葉類処理装置を提供することができる。
【０１２５】
（第３の実施形態）  
図１２は、第３の実施形態に係る光検出装置１３５の構成例について説明するための説明図である。なお、第１の実施形態と同じ構成には同じ参照符号を付し、その詳細な説明を省略する。また、図１３は、図１２に示す検出部２における光の経路について説明する為の説明図である。
【０１２６】
図１２に示す光検出装置１３５の蛍光基準部材７は、基準光源８０をさらに備える。また、メモリ１０は、第４の基準レベルを予め記憶する。
【０１２７】
基準光源８０は、蛍光部材７１が励起光により励起されて発する蛍光と同じ波長帯域の光（基準光）を発する。基準光源８０は、例えば、蛍光灯、冷陰極管、またはＬＥＤ素子などを備える。基準光源８０は、制御部３から電圧を受けることにより、光を照射することができる。即ち、基準光源８０の発光のタイミングは、制御部３により制御される。
【０１２８】
図１３に示すように、基準光源８０から発せられた光は、導光体７２に入射し、導光体７２内を通り、開口部７７から射出される。開口部７７から射出される光は、受光部６のレンズに入射する。受光部６は、受光する光に応じて検出値を取得する。なお、基準光源８０は、受光部６に基準光を入射させることができる位置であれば如何なる位置に設けられていても良い。
【０１２９】
制御部３は、受光部６の走査範囲に紙葉類８が存在しない場合に受光部６により検出する検出値と、メモリ１０に記憶されている第４の基準レベルとの比較を行う。制御部３は、比較結果に応じて、受光部６の受光感度を調整する。
【０１３０】
即ち、制御部３は、受光部６により検出する検出値がメモリ１０に記憶されている第４の基準レベルと同じレベル（または所定の値の範囲内）になるように、受光部６の受光感度を調整する。
【０１３１】
例えば、検出値が第４の基準レベルより低い場合、制御部３は、受光部６の受光感度を高める。また、検出値が第４の基準レベルより高い場合、制御部３は、受光部６の受光感度を低める。これにより、制御部３は、受光部６により検出する検出値をモニタしながら、受光部６の受光感度を調整することができる。制御部３は、受光部６の受光感度の調整が完了する場合、基準光源８０をＯＦＦする。
【０１３２】
さらに、制御部３は、照明部５により照射範囲に光を照射する。図１３に示すように、照明部５から射出された励起光は、蛍光基準部材７のマスク板７４の開口部７６を通り、導光体７２に入射する。導光体７２に入射した励起光は、蛍光部材７１に入射する。これにより、蛍光部材７１は、蛍光を発する。
【０１３３】
蛍光部材７１から発せられる蛍光は、導光体７２を通り、開口部７７から射出され、受光部６に入射する。受光部６は、受光した蛍光の強度に応じて検出値を取得する。
【０１３４】
さらに、制御部３は、照明部５の照射範囲及び受光部６の走査範囲に紙葉類８が存在しない場合に受光部６により検出する検出値と、メモリ１０に記憶されている第１の基準レベルとの比較を行う。制御部３は、比較結果に応じて、照明部５の発光強度を調整する。
【０１３５】
即ち、制御部３は、受光部６により検出する検出値がメモリ１０に記憶されている第１の基準レベルと同じレベル（または所定の値の範囲内）になるように、照明部５の発光強度を調整する。
【０１３６】
例えば、検出値が第１の基準レベルより低い場合、制御部３は、照明部５の発光強度を高める。また、検出値が第１の基準レベルより高い場合、制御部３は、照明部５の発光強度を低める。これにより、制御部３は、受光部６により検出する検出値をモニタしながら、照明部５の発光強度を調整することができる。
【０１３７】
また、制御部３は、調整した照明部５及び受光部６を用いて紙葉類８に対して蛍光検知を行う。即ち、制御部３は、受光部６の走査範囲に紙葉類８が存在する場合に受光部６により検出する検出値と、メモリ１０に記憶されている第２の基準レベルとの比較を行う。判定部４は、比較結果に基づいて、紙葉類８上における残光発光の有無を判定する。
【０１３８】
即ち、受光部６により検出する検出値がメモリ１０に記憶されている第２の基準レベルと同じレベル（または所定の値の範囲内）である場合、判定部４は、紙葉類８上に残光発光が存在すると判定する。即ち、判定部４は、この場合、紙葉類８上に蛍光印刷情報９が存在すると判定する。
【０１３９】
また、例えば、判定部４は、光部６により検出する検出値とメモリ１０に記憶されている第２の基準レベルとが異なる場合、紙葉類８を偽券、損券、または排除券と判定する。
【０１４０】
図１４は、光検出装置１３５の動作について説明する為のフローチャートである。なお、照明部５の照射範囲及び受光部６の走査範囲に紙葉類８が存在しないと仮定して説明をする。即ち、光検出装置１３５の制御部３は、照明部５の照射範囲及び受光部６の走査範囲に紙葉類８が存在しない場合に図１４に示すフローチャートを実行する。  
まず、光検出装置１３５は、基準光源８０から光を射出する（ステップＳ３１）。この場合、基準光源８０から射出された光は、蛍光基準部材７の導光体７２に入射する。導光体７２に入射した光は、導光体７２内を通り、開口部７７から射出され、受光部６に入射する。光検出装置１３５は、受光部６により光を検出する（ステップＳ３２）。即ち、光検出装置１３５は、受光部６により光の検出値を取得する。
【０１４１】
光検出装置１３５の制御部３は、メモリ１０に記憶されている第４の基準レベルと受光部６により検出した検出値とを比較する（ステップＳ３３）。メモリ１０に記憶されている第４の基準レベルと光センサ７８により検出した検出値とが異なる場合、制御部３は、受光部６の受講感度を調整し（ステップＳ３４）、ステップＳ３１に移行する。即ち、制御部３は、受光部６により検出する検出値が第４の基準レベルに相当するようになるまで、ステップＳ３１乃至ステップＳ３４の処理を繰り返し行う。
【０１４２】
また、メモリ１０に記憶されている第４の基準レベルと受光部６により検出した検出値とが同レベルである場合、光検出装置１３５は、基準光源８０をＯＦＦし、照明部５により励起光を照射範囲に照射する（ステップＳ３５）。の場合、照明部５から射出された励起光は、蛍光基準部材７のマスク板７４の開口部７６を通り、導光体７２に入射する。導光体７２に入射した励起光は、導光体７２内を通り蛍光部材７１に入射する。
【０１４３】
蛍光部材７１上の蛍光体は、励起光により励起され、蛍光を発する。蛍光部材７１から発せられた蛍光は、導光体７２に入射し、導光体７２内を通り、開口部７７から射出される。開口部７７から射出される蛍光は、受光部６のレンズに入射する。
【０１４４】
光検出装置１３５は、受光部６により蛍光を検出する（ステップＳ３６）。即ち、光検出装置１３５は、受光部６により蛍光の検出値を取得する。
【０１４５】
光検出装置１３５の制御部３は、メモリ１０に記憶されている第１の基準レベルと受光部６により検出した検出値とを比較する（ステップＳ３７）。メモリ１０に記憶されている第１の基準レベルと受光部６により検出した検出値とが同じレベルである場合、制御部３は、処理を終了する。
【０１４６】
メモリ１０に記憶されている第１の基準レベルと受光部６により検出した検出値とが異なる場合、制御部３は、照明部５の発光強度を調整し（ステップＳ３８）、ステップＳ３５に移行する。即ち、制御部３は、照明部５の発光強度が第１の基準レベルに相当するようになるまで、ステップＳ３５乃至ステップＳ３８の処理を繰り返し行う。
【０１４７】
これらの調整は、光検出装置１３５が搭載される紙葉類処理装置１００が非稼動の時（紙葉類８が搬送されていない時）に行われても良いし、紙葉類処理装置１００が可動している時（媒体が搬送されている時）の紙葉類８と紙葉類８との間に行われても良い。
【０１４８】
上記したように、本実施形態に係る光検出装置１３５は、照明部５と対向する位置に設けられる蛍光部材７１と、導光体７２と、照明部５の照射範囲内と受光部６の走査範囲内に開口部７６、７７を備えるマスク板と、基準光源８０とを備える。
【０１４９】
この構成によると、光検出装置１３５は、照明部５の照明範囲及び受光部６の走査範囲に紙葉類８が存在しない場合に、基準光源８０により受光部６に対して光（基準光）を与える。光検出装置１３５は、基準光から検出する検出値に基づいて、受光部６の受光感度を調整する。さらに、光検出装置１３５は、受光部６により蛍光基準部材７の蛍光部材７１から受光する蛍光に基づいて、照明部５の発光強度を調整する。
【０１５０】
これにより、照明部５の発光強度と、受光部６の受光感度とをそれぞれ個別に調整することができる。この結果、より高い精度で検査を行うことができる光検出装置、及び光検出装置を備える紙葉類処理装置を提供することができる。
【０１５１】
なお、上述の各実施の形態で説明した機能は、ハードウエアを用いて構成するに留まらず、ソフトウエアを用いて各機能を記載したプログラムをコンピュータに読み込ませて実現することもできる。また、各機能は、適宜ソフトウエア、ハードウエアのいずれかを選択して構成するものであっても良い。
【０１５２】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【０１５３】
２…検出部、３…制御部、４…判定部、５…照明部、６…受光部、７…蛍光基準部材、１０…メモリ、７１…蛍光部材、７２…導光体、７３…充填材、７４…マスク板、７５…ケース、７６…開口部、７７…開口部、７８…光センサ、７９…フィルタ、８０…基準光源、１００…紙葉類処理装置、１１２…投入部、１１３…取出部、１１４…吸着ローラ、１１５…搬送路、１１６…検査部、１１７…画像読取装置、１１８…画像読取装置、１１９…厚み検査部、１３２…集積結束部、１３３…裁断部、１３４…スタッカ、１３５…光検出装置、１５１…主制御部、１５１ａ…記憶部、１５２…搬送制御部、１５３…集積・結束制御部。
【図１】
2012093987.tif 000003
【図２】
2012093987.tif 000004
【図３】
2012093987.tif 000005
【図４】
2012093987.tif 000006
【図５】
2012093987.tif 000007
【図６】
2012093987.tif 000008
【図７】
2012093987.tif 000009
【図８】
2012093987.tif 000010
【図９】
2012093987.tif 000011
【図１０】
2012093987.tif 000012
【図１１】
2012093987.tif 000013
【図１２】
2012093987.tif 000014
【図１３】
2012093987.tif 000015
【図１４】
2012093987.tif 000016